(57)【要約】データメモリ２３６及びこれに結合される電子回路配置２３７，２３８，２３９，２４７を有するＲＦＩＤ装置２３１，２３１ｂ，２３１ｃ，３３１を記載する。電子回路配置は第１及び第２の動作構造を有し、制御コマンド２０５ａを受け取ることで第１の構造から第２の構造へと不可逆に切り換えられる。ＲＦＩＤ装置は、電子回路配置に結合される通信インターフェース２４５を更に有する。第１の構造で、ＲＦＩＤ装置は通信インターフェースを介して標準ＲＦＩＤ読取器と通信するよう構成される。第２の構造で、標準ＲＦＩＤ読取器との通信は無効にされ、ＲＦＩＤ装置は読出用ＲＦＩＤ装置３７０と通信するよう構成される。ＲＦＩＤ装置は、プライバシー保全方式で読出用ＲＦＩＤ装置と通信するために使用される補助的な通信インターフェースを備える。ＲＦＩＤ装置が無効にされた後、補助インターフェースは安全な方法でデータにアクセスするために使用され得る。
2010504580.tif 000002
【特許請求の範囲】
【請求項１】
データメモリと、
前記データメモリへ結合され、第１の動作構造及び第２の動作構造を有し、制御コマンドを受け取ることによって前記第１の動作構造から前記第２の動作構造へと不可逆に切り換えられ得る電子回路配置と、
前記電子回路配置へ結合される通信インターフェースと
を有し、
前記第１の動作構造で、前記通信インターフェースを介して標準ＲＦＩＤ読取器と通信するよう構成され、
前記第２の動作構造で、前記標準ＲＦＩＤ読取器との通信は無効にされ、読出用ＲＦＩＤ装置と通信するよう構成されるＲＦＩＤ装置。
【請求項２】
受動的なＲＦＩＤ装置である、請求項１記載のＲＦＩＤ装置。
【請求項３】
前記第２の動作構造で、プライバシー保全方式で前記読出用ＲＦＩＤ装置と通信することができる、請求項１記載のＲＦＩＤ装置。
【請求項４】
前記第２の動作構造で、当該ＲＦＩＤ装置の周囲の空間的な読出範囲は、近距離通信、特に、１センチメートルの距離にわたる、望ましくは１ミリメートルの距離にわたる近距離通信に制限される、請求項１記載のＲＦＩＤ装置。
【請求項５】
前記電子回路配置は、当該ＲＦＩＤ装置が前記制御コマンドを受け取る場合に前記通信インターフェースの少なくとも一部を前記データメモリから切り離すよう構成されるスイッチング素子を有する、請求項１記載のＲＦＩＤ装置。
【請求項６】
当該ＲＦＩＤ装置と前記読出用ＲＦＩＤ装置との間の通信を排他的に可能にするよう構成される更なる通信インターフェースを更に有する、請求項５記載のＲＦＩＤ装置。
【請求項７】
前記更なる通信インターフェースは、物理接触インターフェース及び／又はガルバニックインターフェースであり、前記読出用ＲＦＩＤ装置の対応する読出インターフェースへ接続されるよう構成される、請求項６記載のＲＦＩＤ装置。
【請求項８】
前記電子回路配置は、当該ＲＦＩＤ装置が前記制御コマンドを受け取る場合に前記通信インターフェースを変更するよう構成されるスイッチング素子を有する、請求項１記載のＲＦＩＤ装置。
【請求項９】
前記スイッチング素子は、当該ＲＦＩＤ装置の動作周波数の周波数帯域を変更するよう構成される、請求項８記載のＲＦＩＤ装置。
【請求項１０】
前記スイッチング素子は、当該ＲＦＩＤ装置の結合モードを、特に、
当該ＲＦＩＤ装置と前記標準ＲＦＩＤ読取器との間の誘導結合から、
当該ＲＦＩＤ装置と前記読出用ＲＦＩＤ装置との間の容量結合へ
と変化させるよう構成される、請求項８記載のＲＦＩＤ装置。
【請求項１１】
請求項１記載のＲＦＩＤ装置の前記電子回路配置が前記第２の動作構造にある場合に、前記ＲＦＩＤ装置と通信するよう構成される読出通信インターフェースを有する読出用ＲＦＩＤ装置。
【請求項１２】
受動的な読出用ＲＦＩＤ装置である、請求項１１記載の読出用ＲＦＩＤ装置。
【請求項１３】
前記ＲＦＩＤ装置と比較してより強力である、請求項１１記載の読出用ＲＦＩＤ装置。
【請求項１４】
前記読出通信インターフェースは、プライバシー保全方式で前記ＲＦＩＤ装置と通信するよう構成される、請求項１３記載の読出用ＲＦＩＤ装置。
【請求項１５】
認証機能を有する、請求項１３記載の読出用ＲＦＩＤ装置。
【請求項１６】
請求項１記載のＲＦＩＤ装置と、
請求項１１記載の読出用ＲＦＩＤ装置と、
前記読出用ＲＦＩＤ装置と通信するよう構成される読取器と
を有するＲＦＩＤシステム。
【請求項１７】
ユーザが、前記ＲＦＩＤ装置が組み込まれている消費者製品に関する場所を特定することを可能にするインジケータを更に有する、請求項１６記載のＲＦＩＤシステム。
【請求項１８】
請求項１記載のＲＦＩＤ装置に記憶されている情報を取り出す方法であって、
情報関連データを前記ＲＦＩＤ装置から請求項１１記載の読出用ＲＦＩＤ装置へ送信するステップと、
前記データを前記読出用ＲＦＩＤ装置から読取器へ送信するステップと
を有する方法。
【請求項１９】
前記ＲＦＩＤ装置と標準ＲＦＩＤ読取器との間の通信が無効にされるように制御コマンドを前記ＲＦＩＤ装置へ適用するステップを更に有する、請求項１８記載の方法。
【請求項２０】
情報関連データを前記ＲＦＩＤ装置から読出用ＲＦＩＤ装置へ送信する前記ステップは、受動的に実行される、請求項１８記載の方法。
【発明の詳細な説明】
【技術分野】
【０００１】
本発明は、無線周波数識別（ＲＦＩＤ）装置の分野に関する。特に、本発明は、ユーザが持ち運ぶＲＦＩＤタグアイテムのプライバシーの保全を可能にするＲＦＩＤ装置に関する。
【０００２】
更に、本発明は、読出用通信インターフェースを有する読出用ＲＦＩＤ装置に関する。
【０００３】
更に、本発明は、前記ＲＦＩＤ装置及び前記読出用ＲＦＩＤ装置を有するＲＦＩＤシステム並びに前記ＲＦＩＤ装置に記憶されている情報を取り出す方法に関する。
【背景技術】
【０００４】
無線周波数識別（ＲＦＩＤ）は、例えば、スマートラベル又はタグとしての、多数の応用を有する未来技術である。ＲＦＩＤ装置及びＲＦＩＤタグは、それらの費用及び機能において極めて様々である。ローエンドでは、限られた計算、記憶及び通信能力を有し、読取器から自身の電力を得る受動型の低価格タグが存在する。このようなタグの主な応用には、電気製品コード（ＥＰＣ）に使用されているバーコードの代替、及び例えば医薬産業で製品偽造を防ぐ追跡ツール（track-and-trace  tool）がある。更に、ＲＦＩＤタグは、生産される各商品の取り扱いを個々に追跡するために生産及び／又は物流で使用される。しかし、ＲＦＩＤタグは、また、家庭において一意に物品を識別し且つ多数の家庭活動をサポートする可能性を伴って、消費者側での応用も有する。
【０００５】
しかし、低価格のＲＦＩＤタグは、深刻な安全上の問題を提示する。幾つかの場合に、低価格ＲＦＩＤ装置は、そのユーザにプライバシー侵害のおそれをもたらしうる。例えば、タグにある情報が、認められていない者に対してその情報を利用可能にすることから保護されていない場合に、このような認められていない者は、人が持ち運んでいるタグ付きアイテムに関する情報を不正に取得することができる。次いで、この情報は、タグ付きのアイテムを持ち運んでいる者を追跡し、その者の好みに関する情報を調査し、個々人の間で起こる取引を推察する等のために使用され得る。ＲＦＩＤのプライバシーに関する問題の脅威及び利用可能な解決法の詳細な概説については、S.L.Garfinkel、A.Juels、R.Pappu著、「RFID  Privacy：An  Overview  of  Problems  and  Proposed  Solutions」、IEEE  Security  and  Privacy、３（３）、３４〜４３頁、２００５年５月／６月（非特許文献１）を参照されたし。
【０００６】
現在のシステムにおけるこのような脅威を防ぐための１つの標準化された解決法は、恒久的にタグを無効にする、いわゆる「切断コマンド（kill  command）」である。このような解決法は有効ではあるが、例えば売却完了後に、このような切断コマンドを適用する場合はＲＦＩＤタグを使用不可能にするという大きな欠点を有する。特に、組み込み型のＲＦＩＤタグを有する物は、たとえユーザが望んでも、もはや交信したり、あるいは、情報を適法なユーザへ提供したりすることができない。
【０００７】
米国特許第６，９７０，０７０号明細書（特許文献１）は、ＲＦＩＤタグに関連してプライバシーを保つ他の解決法を開示する。この解決法は、いわゆる、ブロッカー（blocker）タグの使用を伴う。このタグは、個々の、場合によっては認められていないＲＦＩＤ読取器によって持ち運ばれるＲＦＩＤタグの間の壁として有効に働く。ブロッカータグは、その範囲下でタグをシミュレーションし、タグを識別するために読取器によって実行されるシンギュレーション（singulation）プロトコルを妨げる。読取器はタグを識別することができないので、ユーザのプライバシーは守られる。
【０００８】
米国特許出願公開第２００４／０２２２８７８（Ａ１）号明細書（特許文献２）は、ＲＦＩＤ装置の利用に関連してプライバシーを保護することに関する他のアプローチを開示する。このアプローチは、周期的に読取器によって更新されて、ワンタイムパッド（one-time  pad）で暗号化されるタグへ送信される偽名（pseudonyms）の使用に基づく。
【０００９】
S.A.Weis、S.E.Sarma、R.L.Rivest、D.W.Engels著、「Security  and  Privacy  Aspects  of  Low-Cost  Radio  Frequency  Identification  Systems」、International  Conference  on  Security  in  Pervasive  Computing、２００３年３月（非特許文献２）は、ＲＦＩＤ装置に関連してプライバシーを保護する更なる他の解決法を開示する。かかる解決法は、例えばハッシュ関数のような暗号基関数の使用を伴う。しかし、このような解決法は、安価なＲＦＩＤタグが有するとは期待されない付加的なリソースを必要とする。
【００１０】
Bolotnyy,L.及びRobins,G.著、「Multi-Tag  Radio  Frequency  Identification  Systems」、Proc.IEEE  Workshop  on  Automated  Identification  Advanced  Technologies、２００５年１０月、８３〜８８頁（非特許文献３）は、ＲＦＩＤ読取器によって多重ＲＦＩＤタグシステムで引き起こされる全体的な電圧を増大させることによって多重ＲＦＩＤタグシステムの感度を高めるための複数のＲＦＩＤタグの使用を開示する。特に、異なるＲＦＩＤタグが入射角に対して異なる方向に位置付けられている場合に、最も良い指向性のＲＦＩＤタグで期待される電圧は有意に増大する。
【００１１】
A.Juels著、「RFID  Security  and  Privacy」、A  Research  Survey、IEEE  Journal  on  Selected  Areas  in  Communications、２４（２）、３８１〜３９４頁、２００６年２月（非特許文献４）は、追跡の問題に対処するために販売時点でタグの一意の識別子を消すが、後の使用のために、例えば、典型的なバーコードデータのような、製品タイプ識別子を残す提案を開示する。消費者製品は新しい識別子を有する新しいタグを備えられるが、古いタグ識別子はリサイクル等の後の公共使用のための再有効化を前提として残ることが示唆されている。この考えを実現するための物理的メカニズムとして、更に、２つのＲＦＩＤタグの間で製品タイプの識別子及び一意の識別子を分ける考えを検討することが提案されている。この考えは、ユーザが、自身のデータ放出を制限するようタグを物理的に変更し且つそれらの変更された状態の物理的確認を得ることができる点で拡張され得る。
【００１２】
米国特許出願公開第２００５／０２０５６７８（Ａ１）号明細書（特許文献３）は、アンテナと共に第２インターフェースとしての接触インターフェースを有するデュアルインターフェースユニットを有するデータ担体を開示する。開示されるデータ担体内のＲＦＩＤユニットは、例えばＵＳＢプラグのような標準インターフェースを介して、インターネット接続可能なパーソナルコンピュータへ接続可能である。
【先行技術文献】
【特許文献】
【００１３】
【特許文献１】米国特許第６，９７０，０７０号明細書
【特許文献２】米国特許出願公開第２００４／０２２２８７８（Ａ１）号明細書
【特許文献３】米国特許出願公開第２００５／０２０５６７８（Ａ１）号明細書
【非特許文献】
【００１４】
【非特許文献１】S.L.Garfinkel、A.Juels、R.Pappu著、「RFID  Privacy：An  Overview  of  Problems  and  Proposed  Solutions」、IEEE  Security  and  Privacy、３（３）、３４〜４３頁、２００５年５月／６月
【非特許文献２】S.A.Weis、S.E.Sarma、R.L.Rivest、D.W.Engels著、「Security  and  Privacy  Aspects  of  Low-Cost  Radio  Frequency  Identification  Systems」、International  Conference  on  Security  in  Pervasive  Computing、２００３年３月
【非特許文献３】Bolotnyy,L.及びRobins,G.著、「Multi-Tag  Radio  Frequency  Identification  Systems」、Proc.IEEE  Workshop  on  Automated  Identification  Advanced  Technologies、２００５年１０月、８３〜８８頁
【非特許文献４】A.Juels著、「RFID  Security  and  Privacy」、A  Research  Survey、IEEE  Journal  on  Selected  Areas  in  Communications、２４（２）、３８１〜３９４頁、２００６年２月
【発明の概要】
【発明が解決しようとする課題】
【００１５】
一方ではユーザのプライバーを高めることを可能にし、他方ではＲＦＩＤ装置の複雑性及び費用に関して過剰な増大を引き起こさない拡張された機能、すなわち、保護されていないＲＦＩＤ装置と比較してこのような拡張された機能、をＲＦＩＤ装置に提供する必要性がある。
【課題を解決するための手段】
【００１６】
上記の必要性は、独立請求項に係る対象によって満足され得る。本発明の有利な実施形態は、従属請求項によって記載される。
【００１７】
本発明の第１の様相に従って、ＲＦＩＤ装置が提供される。当該ＲＦＩＤ装置は、（ａ）データメモリ及び（ｂ）このデータメモリへ結合される電子回路配置を有する。該電子回路配置は、第１の動作構造及び第２の動作構造を有する。制御コマンドを受け取ることによって、該電子回路配置は、前記第１の動作構造から前記第２の動作構造へと不可逆に切り換えられ得る。当該ＲＦＩＤ装置は、（ｃ）前記電子回路配置へ結合される通信インターフェースを更に有する。前記第１の動作構造で、当該ＲＦＩＤ装置は、前記通信インターフェースを介して標準ＲＦＩＤ読取器と通信するよう構成され、前記第２の動作構造で、前記標準ＲＦＩＤ読取器との通信は無効にされ、当該ＲＦＩＤ装置は、読出用ＲＦＩＤ装置と通信するよう構成される。
【００１８】
本発明のこの様相は、前記制御コマンドにより当該ＲＦＩＤ装置の前記通信インターフェースを変更することによって、前記標準ＲＦＩＤ読取器がもはや前記データメモリに記憶されるデータを取り出すことができないという考えに基づく。しかし、このようなコマンドによって無効化される既知のＲＦＩＤタグとは対照的に、当該ＲＦＩＤ装置は、依然として、標準ＲＦＩＤ読取器ではなく、少なくとも、特別に設計された読出用ＲＦＩＤ装置と通信することができる。
【００１９】
前記読出用ＲＦＩＤ装置は、当該ＲＦＩＤ装置とほとんど同じように使用され得るＲＦＩＤタグでありうる。これは、前記読出用ＲＦＩＤ装置が、認定ユーザに製品に関する情報を提供するために消費者製品又は他のアイテムへ取り付けられ得る自立型電子装置であることを意味する。
【００２０】
前記電子回路配置は、前記第１の動作構造から前記第２の動作構造へと当該回路配置を移すよう構成される様々な電子部品、回路経路及び少なくとも１つのスイッチング素子を有するどんなタイプの回路であっても良い。スイッチング素子は、第１接触から第２接触へと回路経路を替える素子でありうる。スイッチング素子は、また、対応する回路経路の途絶が発生するように回路経路を不可逆に開放する素子であっても良い。
【００２１】
通常、前記通信インターフェースはアンテナ素子である。このアンテナ素子は、ＲＦＩＤチップの内部筐体の外に形成されるオフチップのアンテナでありうる。前記筐体は、前記データメモリ、及び／又は前記電子回路配置の少なくとも一部を含む。
【００２２】
所定の制御コマンド又は制御信号が外部装置から当該ＲＦＩＤ装置へ適用され得る。このコマンドは前記電子回路の配置を不可逆に変更するので、このようなコマンドは、また、変形切断コマンドとも呼ばれることがある。当然、前記制御コマンドは、適切な遠隔制御装置によって生成及び送信される適切な無線周波数信号又はその他無線信号によってトリガ及び／又は誘発され得る。遠隔制御装置は、また、記載されるような機能を有するＲＦＩＤ読取器であっても良い。
【００２３】
語「通信」は、幅広く理解されるべきである。これに関連して、語「通信」は、２つの機関（parties）の間でのどんなタイプのデータ伝送も意味し、これによって、対応する情報は、２方向で、又は１方向でのみ送信される。ここで、第１の通信機関はＲＦＩＤ装置であり、第２の通信機関は読出用ＲＦＩＤ装置である。
【００２４】
本発明の実施形態に従って、当該ＲＦＩＤ装置は受動的なＲＦＩＤ装置である。このことは、当該ＲＦＩＤ装置が、例えば、価格情報又は契約満期日若しくは個々の電子製品コード（ＥＰＣ）等のその他の情報を消費者製品に付すために使用され得る安価な電子装置によって実現され得るという利点を提供することができる。それによって、受動的なＲＦＩＤは、消費者製品に又は消費者製品のパッケージに組み込まれ得る。受動的なＲＦＩＤ装置の低い製造費用のために、それは、使用後に処分され得る使い捨て商品であっても良い。
【００２５】
受動的なＲＦＩＤ装置又はタグは内部電源を有さないことによって定義されることが言及される必要がある。入来する無線信号によってアンテナ素子で引き起こされる微少電流は、前記電子回路配置のための過不足のない電力を提供する。望ましくは、前記電子回路配置は、当該ＲＦＩＤ装置を起動し且つ応答を送信するためにＣＭＯＳ集積回路を有する。オンボード電源の欠如は、当該装置が極めて小さく且つ極めて安価であることを意味する。従って、商業上利用可能な製品は、ひそかに組み込まれ得る受動的なＲＦＩＤチップを提供及び／又は設置され得る。
【００２６】
本発明の更なる実施形態に従って、前記第２の動作構造で、当該ＲＦＩＤ装置は、プライバシー保全方式で前記読出用ＲＦＩＤ装置と通信することができる。それによって、プライバシー面は、当該ＲＦＩＤ装置に組み込まれている前記電子回路配置の物理特性に基づく。例えば、プライバシーは、当該ＲＦＩＤ装置と前記読出用ＲＦＩＤ装置との間の対応するデータ伝送の空間的な補償範囲を制限することによって保たれ得る。しかし、また、暗号化又は符号化プロシージャが、当該ＲＦＩＤ装置と前記読出用ＲＦＩＤ装置との間のプライバシー保護通信を保証するために使用されても良い。
【００２７】
本発明の更なる実施形態に従って、前記第２の動作構造で、当該ＲＦＩＤ装置の周囲の空間的な読出範囲は、近距離通信、特に、１センチメートルの距離にわたる、望ましくは１ミリメートルの距離にわたる近距離通信に制限される。これには、前記第２の動作構造にある当該ＲＦＩＤ装置からデータを取り出すために、前記読出用ＲＦＩＤ装置が当該ＲＦＩＤ装置に近接して配置される必要があるという効果がある。これは、例えば、直接に又は間接に当該ＲＦＩＤ装置の上に又はその隣に前記読出用ＲＦＩＤ装置を取付又は設置することによって、達成され得る。
【００２８】
本発明の更なる実施形態に従って、前記電子回路配置は、当該ＲＦＩＤ装置が前記制御コマンドを受け取る場合に前記通信インターフェースの少なくとも一部を前記データメモリから切り離すよう構成されるスイッチング素子を有する。
【００２９】
スイッチング素子は、前記制御コマンドを受け取ることによって前記データメモリを前記通信インターフェースと接続する導体経路が中断されるように、前記電子回路において配置され得る。それによって、前記データメモリと前記通信インターフェースとの間の完全な切断が達成され得る。コマンド信号に応答するこのようなスイッチング素子は、ＲＦＩＤタグの分野で幅広く知られている。従って、それらの機能の物理モードについてはより詳細に説明する必要がない。
【００３０】
本発明の更なる実施形態に従って、当該ＲＦＩＤ装置は、当該ＲＦＩＤ装置と前記読出用ＲＦＩＤ装置との間の通信を排他的に可能にするよう構成される更なる通信インターフェースを更に有する。これは、当該ＲＦＩＤ装置が少なくとも２つの通信インターフェースを有することを意味する。コマンド信号又は変形切断コマンドを受け取ることによって、第１の通常アンテナに基づく通信インターフェースは無効にされる。従って、標準的なＲＦＩＤ読取装置との通信はもはや可能でない。第２の又は更なる通信インターフェースは、たとえ当該ＲＦＩＤ装置又はその第１の通信インターフェースが切断されていても前記読出用ＲＦＩＤ装置が当該ＲＦＩＤ装置と通信することができるように、前記データメモリへ接続されている。
【００３１】
前記第２の通信インターフェースは、前記通信インターフェースによって当該ＲＦＩＤ装置と標準ＲＦＩＤ読取器との間の通信に使用される周波数とは異なる周波数を有する電磁放射によって前記読出用ＲＦＩＤ装置と通信するよう構成される更なるアンテナ素子でありうる。
【００３２】
本発明の更なる実施形態に従って、前記更なる通信インターフェースは、物理接触インターフェース及び／又はガルバニックインターフェースであり、前記読出用ＲＦＩＤ装置の対応する読出インターフェースへ接続されるよう構成される。制御又は切断コマンドが発行され、前記第１の通信インターフェースが使用できなくなった後に、前記更なる通信インターフェースを介してのみ当該ＲＦＩＤ装置の前記データメモリの中身へのアクセスを得ることが可能である。
【００３３】
本発明の更なる実施形態に従って、前記電子回路配置は、当該ＲＦＩＤ装置が前記制御コマンドを受け取る場合に前記通信インターフェースを変更するよう構成されるスイッチング素子を有する。該スイッチング素子を作動させることによって、他の電子部品が加えられ、又は前記データメモリと前記アンテナ素子との間の結合に相当する回路部分から取り除かれ得る。このような電子部品は、例えば、抵抗、ダイオード、コンデンサ及び／又はインダクタでありうる。
【００３４】
本発明の更なる実施形態に従って、前記スイッチング素子は、当該ＲＦＩＤ装置の動作周波数の周波数帯域を変更するよう構成される。これは、当該ＲＦＩＤ装置の共振周波数を変更することによる簡単であるが極めて有効な方法で実現され得る。かかる共振周波数は、主に、前記アンテナ素子及び前記電子回路配置の誘導及び容量リアクタンスによって決定される。共振周波数は、特に、前記アンテナ素子からコンデンサを切り離し又は該アンテナ素子へコンデンサを接続することによる有効な方法で変更され得る。それによって、とりわけ前記アンテナ素子を有する発振回路の共振周波数は変更される。対応するコンデンサは、前記アンテナ素子に並列に接続され得る。
【００３５】
前記動作周波数は、例えば１３．５６ＭＨｚから３．４５ＧＨｚへと、あるいはその逆に変更され得る。前記第１の動作構造に割り当てられる第１の動作周波数と、前記第２の動作構造に割り当てられる第２の動作周波数との間のこのような大きな差は、（ａ）当該ＲＦＩＤ装置と標準ＲＦＩＤ読取器との間の第１の通信と、（ｂ）当該ＲＦＩＤ装置と読出用ＲＦＩＤ装置との間の第２の通信との間の確実な分離を提供する。
【００３６】
本発明の更なる実施形態に従って、前記スイッチング素子は、当該ＲＦＩＤ装置の結合モードを変化させるよう構成される。特に、前記結合モードは、当該ＲＦＩＤ装置と前記標準ＲＦＩＤ読取器との間の誘導結合から、当該ＲＦＩＤ装置と前記読出用ＲＦＩＤ装置との間の容量結合へと変化しうる。これは、通常は空間的な補償範囲が縮小されるという利点を提供することができる。これは、更に、当該ＲＦＩＤ装置と前記読出用ＲＦＩＤ装置との間の通信が認定されていない第三者によって傍聴され得ないこと提供する。当然、また、反対方向での結合モードの変化も可能である。
【００３７】
前記結合モードは、例えば、誘導から容量へと変形切断コマンドによって変更され得る。それによって、該切断コマンドは、当該ＲＦＩＤ装置が標準ＲＦＩＤ読取器によってもはや問い合わせをされ得ないように、当該ＲＦＩＤ装置を無効にする。しかし、前記データメモリに存在するデータは、依然として、専用の読出用ＲＦＩＤ装置を介して読み出され得る。
【００３８】
本発明の更なる様相に従って、読出用ＲＦＩＤ装置が提供される。当該読出用ＲＦＩＤ装置は、前出の実施形態のいずれか１つに従うＲＦＩＤ装置の前記電子回路配置が前記第２の動作構造にある場合に、前記ＲＦＩＤ装置と通信するよう構成される読出通信インターフェースを有する。
【００３９】
本発明のこの更なる様相は、安価な読出装置が提供されるという考えに基づく。かかる読出装置は、たとえ標準ＲＦＩＤ読取器がもはや前記ＲＦＩＤ装置と通信することができないように前記ＲＦＩＤ装置が変更又は無効にされていても、該ＲＦＩＤ装置からのデータ取り出しを可能にする。
【００４０】
本発明の実施形態に従って、当該読出用ＲＦＩＤ装置は、受動的な読出用ＲＦＩＤ装置である。このことは、当該読出用ＲＦＩＤ装置が低価格のＲＦＩＤ装置によって実現され得るという利点を有する。これは、前記ＲＦＩＤ装置及び当該読出用ＲＦＩＤ装置がいずれも小さく且つ安価な電子装置でありうることを意味する。低い製造費用のために、当該受動的な読出用ＲＦＩＤ装置は、使用後に処分され得る使い捨て商品であっても良い。従って、幅広い多種多様な応用が、有益な方法で当該読出用ＲＦＩＤ装置を使用するために開かれている。
【００４１】
当該読出用ＲＦＩＤ装置は、計算面からは前記ＲＦＩＤ装置より強力でない電子装置でありうることが言及されるべきである。当該読出用ＲＦＩＤ装置は、むしろ、しばしば電子製品コードを搬送する従来の受動的な低価格ＲＦＩＤタグの能力と同程度の能力を備える装置である。これは、当該読出用ＲＦＩＤ装置の認証の能力が制限されることを意味する。しかし、受動的な読出用ＲＦＩＤ装置は極めて低い製造費用で製造され得るので、たとえ認証可能でない場合でさえ多数の応用が考えられ得る。
【００４２】
更に、当該読出用ＲＦＩＤ装置は、電子製品コード等の自身の識別子を有するべきであることが言及される必要がある。当該読出用ＲＦＩＤ装置は、自身が接続されているより強力でないＲＦＩＤタグの識別子を採用又は継承することができる。
【００４３】
例えば、当該読出用ＲＦＩＤ装置の低価格は、以下の幅広く適用可能な利用モデル：ユーザはタグ付きのアイテム、すなわち、前出のＲＦＩＤ装置を提供されるアイテムを購入することを可能にする。かかるＲＦＩＤタグは、適切な制御コマンドによって購入時に無効化される。また、当該読出用ＲＦＩＤ装置は極めて安価であるから、ユーザは多数の読出用ＲＦＩＤ装置を有することができる。これらの読出用ＲＦＩＤ装置は、注文を介してユーザによって購入され得、あるいは、代替的に、対応する店からユーザへ無料で与えられ得る。次いで、読出用ＲＦＩＤ装置は、切断されたＲＦＩＤ装置に記憶されている情報を復活させるために、購入された全てのアイテムへ付けられ得る。安価な読出タグは認証機能を有さないので、これは、例えばユーザの家等の、信頼できる読取器のみを有する環境において行われ得る。
【００４４】
本発明の更なる実施形態に従って、前記ＲＦＩＤ装置に比べて、当該読出用ＲＦＩＤ装置は、その計算能力に関してより強力である。この点に関して、語「強力」は、当該読出用ＲＦＩＤ装置が、前記ＲＦＩＤ装置に比べて幅広い機能性を有することを意味する。当該読出用ＲＦＩＤ装置の機能性は、例えば、前記ＲＦＩＤ装置と当該読出用ＲＦＩＤ装置との間及び／又は当該読出用ＲＦＩＤ装置と前記読取器との間のタップを通さないデータ接続を可能にすることができる符号化又は暗号化プロシージャを含みうる。
【００４５】
より強力な読出用ＲＦＩＤタグは再使用可能であり、従って、読出タグは、元のＲＦＩＤタグが無効にされている物に随伴するスティッキーラベル（sticky  label）として実施され得ることが考えられる。それによって、より強力でない元のＲＦＩＤタグの隣に又は望ましくはその上により強力な読出用ＲＦＩＤタグを取り付けることは、元のＲＦＩＤタグに記憶されている情報を復活させる効果を有する。それによって、ユーザは、その物のタグが決して無効にされていないかのように、無効にされているタグに記憶されている情報を利用することができる。しかし、識別子がこの場合に安全な方法で読取器へ送信されるという付加的な効果がある。
【００４６】
本発明の更なる実施形態に従って、前記読出通信インターフェースは、プライバシー保全方式で前記ＲＦＩＤ装置と通信するよう構成される。プライバシー面は、前記読出通信インターフェース、及び前記ＲＦＩＤ装置に組み込まれている前記電子回路配置の両方の物理特性に基づくことができる。例えば、プライバシーは、前記ＲＦＩＤ装置と当該読出用ＲＦＩＤ装置との間の対応するデータ伝送の空間的な補償範囲を制限することによって保たれ得る。また、前記ＲＦＩＤ装置と当該読出用ＲＦＩＤ装置との間の特別の専用の結合モードが使用されても良い。かかる結合モードは、前記ＲＦＩＤ装置と標準的なＲＦＩＤ読取器との間のデータ通信を妨げる。
【００４７】
当然、暗号化又は符号化プロシージャが、前記ＲＦＩＤ装置と当該読出用ＲＦＩＤ装置との間のプライバシー保護通信を保証するために使用されても良い。
【００４８】
本発明の更なる実施形態に従って、当該読出用ＲＦＩＤ装置は認証機能を有する。これは、暗号基関数を用いることによって実現され得る。
【００４９】
本発明の更なる様相に従って、ＲＦＩＤシステムが提供される。当該ＲＦＩＤシステムは、（ａ）前出の実施形態のいずれか１つに従うＲＦＩＤ装置、（ｂ）前出の読出用ＲＦＩＤ装置、及び（ｃ）該読出用ＲＦＩＤ装置と通信するよう構成される読取器を有する。
【００５０】
本発明のこの更なる様相は、比較的安価であるが信頼できる可能性がＲＦＩＤ装置に記憶されている情報を取り出すために提供されるという考えに基づく。かかるＲＦＩＤ装置は、適切な制御又は変形切断コマンドにより、標準ＲＦＩＤ読取器をアクセス不可とされている。しかし、前記読出用ＲＦＩＤ装置から記憶されている情報を取り出す前に、該情報は、前記ＲＦＩＤ装置から前記読出用ＲＦＩＤ装置へ送信される必要がある。これは、最初のステップで前記情報が２つの類似する装置の間で送信されることを意味する。これは、前記ＲＦＩＤ装置と前記読出用ＲＦＩＤ装置との間の安全で且つタップを通さない通信を可能にすることを比較的容易にする。
【００５１】
望ましくは、前記読取器は、例えば、符号化及び／又は暗号化プロシージャを用いることによって、プライバシー保全方式で前記読出用ＲＦＩＤ装置と通信するよう構成される。
【００５２】
前記読取器は、従来の又は改良された読取器でありうる。それによって、従来の読取器は、標準ＲＦＩＤ装置に一般に使用されている周波数範囲内での通信を可能にする読取器である。改良された読取器は、前記ＲＦＩＤ装置と前記読出用ＲＦＩＤ装置との間の通信を選択的に可能にする読取器でありうる。このような選択的な通信は、例えば、符号化通信によって、又はＲＦＩＤ通信にとって標準的でないＲＦ周波数帯域幅内のＲＦ情報によって、達成され得る。
【００５３】
本発明の実施形態に従って、当該ＲＦＩＤシステムは、ユーザが、前記ＲＦＩＤ装置が組み込まれている消費者製品に関する場所を特定することを可能にするインジケータを更に有する。これは、切断されたＲＦＩＤ装置に記憶されている情報を復活させるために、ユーザが即座に、その切断又は無効化されたＲＦＩＤ装置と前記読出用ＲＦＩＤ装置との間の安全且つ信頼できるデータ通信を保証すべくどこに前記読出用ＲＦＩＤ装置を位置付けるべきかを知るという利点を提供することができる。これは、特に、前記ＲＦＩＤ装置と前記読出用ＲＦＩＤ装置との間の対応するデータ伝送が、例えばプライバシー保護面のために制限される場合に、有効である。
【００５４】
本発明の更なる様相に従って、前出のＲＦＩＤ装置に記憶されている情報を取り出す方法が提供される。当該方法は、（ａ）情報関連データを前記ＲＦＩＤ装置から前出の読出用ＲＦＩＤ装置へ送信するステップ、及び（ｂ）該データを前記読出用ＲＦＩＤ装置から読取器へ送信するステップを有する。
【００５５】
本発明のこの更なる様相は、中間の読出用ＲＦＩＤ装置を介する２段階のデータ取り出しがプライバシー保全方式で情報を取り出すために使用され得るという考えに基づく。それによって、第１のステップでは、互いに対して近接して配置され得る２つの類似する装置の間で通信が行われる。
【００５６】
本発明の実施形態に従って、当該方法は、前記ＲＦＩＤ装置と標準ＲＦＩＤ読取器との間の通信が無効にされるように制御コマンドを前記ＲＦＩＤ装置へ適用するステップを更に有する。通常、前記制御コマンドは、適切な方法で前記ＲＦＩＤ装置の通信インターフェースを無効化又は変更する切断コマンド又は変形切断コマンドである。これは、前記ＲＦＩＤ装置の回路配置のための専用のスイッチング素子を用いることによって行われ得る。このスイッチング素子は、作動時に、アンテナ素子をデータメモリから切り離し及び／又は前記ＲＦＩＤ装置の動作周波数を有意に変化させる。
【００５７】
本発明の更なる実施形態に従って、情報関連データを前記ＲＦＩＤ装置から読出用ＲＦＩＤ装置へ送信する前記ステップは、受動的に実行される。これは、両方の装置、すなわち、ＲＦＩＤ装置及び読出用ＲＦＩＤ装置が所謂受動型のＲＦＩＤ装置でありうることを意味する。これは、通常読取器である第３の装置が前記ＲＦＩＤ装置及び前記読出用ＲＦＩＤ装置を動作させるほど十分な電力を供給しない限り、前記ＲＦＩＤ装置と前記読出用ＲＦＩＤ装置との間の通信は成立しないことを意味する。これは、前出の方法が、受動型ＲＦＩＤ装置の低い製造費用で製造され得る簡単なＲＦＩＤ装置によって達成され得るという利点を提供する。
【００５８】
本発明の実施形態は様々な対象を参照して記載されている点に留意すべきである。具体的に、ある実施形態は装置に係る請求項を参照して記載されているが、他の実施形態は方法に係る請求項を参照して記載されている。しかし、当業者は、上記及び下記の記載から、他が示されてない限り、１種類の対象に属する特徴のあらゆる組み合わせに加えて、更に、様々な対象に関する特徴の間、特に、装置に係る請求項の特徴と方法に係る請求項の特徴との間のあらゆる組み合わせが本願により開示されていると考えられると推測する。
【００５９】
本発明の前出の様相及び更なる様相は、ここに記載されている実施形態の例から明らかであり、実施形態の例を参照して説明される。本発明の、実施形態の例を参照して以下でより詳細に記載されるが、本発明はこれらの例に限定されない。
【図面の簡単な説明】
【００６０】
【図１】標準ＲＦＩＤ読取器と、符号化されている情報を有する標準ＲＦＩＤ装置とを有するＲＦＩＤシステムを示す。
【図２ａ】補助通信インターフェースと、切断コード適用時にＲＦＩＤチップから切り離される、主要通信インターフェースに相当するオフチップのアンテナ素子とを有する本発明の第１実施形態に従うＲＦＩＤ装置を示す。
【図２ｂ】切断コード適用時に動作周波数が変更される本発明の第２実施形態に従うＲＦＩＤ装置を示す。
【図２ｃ】切断コード適用時にＲＦＩＤチップとオフチップアンテナ素子との間の結合が変更される本発明の第３実施形態に従うＲＦＩＤ装置を示す。
【図３】ＲＦＩＤ装置と読出用ＲＦＩＤ装置との間の通信を復活させるために、切断されているＲＦＩＤ装置における読出用ＲＦＩＤ装置の取付を示す。
【発明を実施するための形態】
【００６１】
図面における説明図は概略的である。異なる図で、同一の又は類似する要素は、第一位の数のみが対応する参照符号とは異なる参照符号を付されている。
【００６２】
図１には、ＲＦＩＤシステム１００が示されている。ＲＦＩＤシステム１００は、標準ＲＦＩＤ読取器１１０及び標準ＲＦＩＤ装置１３０を有する。標準ＲＦＩＤ装置１３０は、ＲＦＩＤタグを含む符号化された情報を代理する。ＲＦＩＤ読取器１１０は、電子回路１１５及びアンテナ１２４を有する。アンテナ１２４は、ＲＦ放射信号をＲＦＩＤ装置１３０へ送信し且つＲＦＩＤ装置１３０から後方散乱される符号化されたＲＦ放射信号を受信するために使用される。
【００６３】
電子回路１１５は、いわゆる振幅偏移キーイング（ＡＳＫ）変調器１１６を有する。ＡＳＫ変調器１１６の動作は、駆動信号１１６ａによってトリガされ得る。ＡＳＫ変調器１１６は、発振回路１２０の一部である信号注入ユニット１２１を介して発振回路１２０へ結合されている。発振回路１２０は、更に、抵抗１２２、コンデンサ１２３及びアンテナ１２４を有する。
【００６４】
ＲＦＩＤ読取器１１０とＲＦＩＤ装置１３０との間の通信は、ＲＦＩＤ読取器１１０からアンテナ１２４を介してＲＦＩＤ装置１３０へ信号を送信することから始まる。この信号の受信は、ＲＦＩＤ装置１３０が符号化された信号をＲＦＩＤ読取器１１０へ返すことをトリガする。符号化された信号は、アンテナ１２４によって受け取られる。
【００６５】
この符号化された信号をアンテナ１２４及び発振回路１２０の夫々から取り出すために、帯域通過フィルタ１２５が使用される。帯域通過フィルタ１２５は、増幅器１２６を介して復調器１２７へ接続されている。復調器１２７は、ＲＦＩＤ装置１３０からＲＦＩＤ読取器１１０へ送信された情報を表すデジタル出力データ１２９を供給する。
【００６６】
標準ＲＦＩＤ装置１３０は、ＲＦＩＤチップ１３５及び通信インターフェース１４５を有する。通常適切な筐体によって保護されるＲＦＩＤチップ１３５は、データメモリを含むＲＦＩＤ回路１３６を有する。ＲＦＩＤ装置１３０の動作がＲＦＩＤ読取器１１０によってトリガされる場合に、ＲＦＩＤ回路１３６はバイナリ変調コード１３６ａを供給する。このバイナリ変調コード１３６ａは、トランジスタ結合素子１３７のゲートへ印加される。トランジスタ結合素子１３７は、アンテナ素子１４６及びコンデンサ１４７を有する発振回路を駆動する。トランジスタ結合素子１３７はＭＯＳＦＥＴトランジスタである。ダイオード１３８及びコンデンサ１３９は、ＲＦＩＤ回路１３６と発振回路との間の適切な結合を提供するために使用される。
【００６７】
以下で、本発明に従うＲＦＩＤの例となる実施形態について、図２ａ、２ｂ及び２ｃを参照して記載する。
【００６８】
図２ａは、本発明の第１実施形態に従うＲＦＩＤ装置２３１ａを示す。ＲＦＩＤ装置２３１ａはＲＦＩＤチップ２３５を有する。ＲＦＩＤチップ２３５は、データメモリを含むＲＦＩＤ回路２３６と、トランジスタ結合素子２３７と、ダイオード２３８と、コンデンサ２３９とを有する。これらの要素は、図１に示されている標準的なＲＦＩＤタグ１３０を参照して既に記載されており、もう一度詳細に説明されない。
【００６９】
ＲＦＩＤ装置２３１ａは、発振回路を形成するアンテナ素子２４６及びコンデンサ２４７を有する通信インターフェース２４５を更に有する。この発振回路は、２つのスイッチング素子、すなわち第１スイッチング素子２５１及び第２スイッチング素子２５２、の作動によってＲＦＩＤチップ２３５から完全に切り離され得る。かかるスイッチング素子２５１及び２５２はいずれもコマンドライン２５０へ接続されている。コマンドライン２５０は、スイッチング素子２５１及び２５２へ制御コマンド２５０ａを適用するために使用される。スイッチング素子２５１及び２５２が作動すると、アンテナ素子２４６は、不可逆にＲＦＩＤチップ２３５から切り離される。従って、通信インターフェース２４５は、通信インターフェース２４５を介するデータ通信がそれ以上可能でないようにＲＦＩＤチップ２３５から恒久的に切り離されるので、制御コマンド２５０ａは切断コマンド（kill  command）又は少なくとも変形切断コマンドと称されることがある。
【００７０】
通信インターフェース２４５を無効にすることにとって当然に、ＲＦＩＤチップ２３５と通信インターフェース２４５との間に延在する１つの接続ラインのみを中断すれば十分であることが言及されるべきである。しかし、通信インターフェース２４５が確かに無効にされることを確実にするために、両方の接続ラインを切断する方がより信頼できるように考えられる。
【００７１】
コマンド信号２５０ａに反応するスイッチング素子は、ＲＦＩＤタグの分野で幅広く知られている。従って、それらの機能の物理モードについては、ここでは、これ以上詳細に説明されない。
【００７２】
しかし、ＲＦＩＤ回路２３６のデータメモリに記憶されているデータのアクセスを可能にするために、更なる通信インターフェース２４０が設けられている。このインターフェース２４０は、外部ガルバニック接触２４１及び２４２を有する。これらは、ＲＦＩＤ回路２３６へ接続されている。従って、読出用ＲＦＩＤ装置（図２ａに図示せず。）をＲＦＩＤ装置２３１ａへ接続することによって、ＲＦＩＤ回路２３６のデータメモリに記憶されている情報は取り出され得る。このデータ取り出しは有線接続を介して実行されるので、これらのデータへの不等なアクセスは、認められていない読取器がＲＦＩＤ装置２３１ａへの物理的な接触を得ることをユーザが許可しない場合は妨げられ得る。
【００７３】
図２ｂは、本発明の第２実施形態に従うＲＦＩＤ装置２３１ｂを示す。ＲＦＩＤ装置２３１ｂは、先と同じく、ＲＦＩＤチップ２３５及びＲＦ通信インターフェース２４５を有する。ＲＦＩＤチップ２３５は、補助インターフェースが設けられていない点を除いては、図２ａに示されている第１実施形態のＲＦＩＤチップと同じである。通信インターフェース２４５は、制御コマンドによるスイッチング素子２５１の作動の後に、コンデンサ２５６が発振回路から切り離されるように変更されている。発振回路は、最初に、アンテナ素子２４６、コンデンサ２４７及びコンデンサ２５６を有する。コンデンサ２５６の分離により発振回路の共振周波数は有意に変化する。これにより、通信インターフェース２４５の動作周波数は変更される。コンデンサ２４７及び２５６のキャパシタンスは、コンデンサ２５６の分離後に通信インターフェース２４５及びそれと共にＲＦＩＤ装置２３１ｂ全体がもはや標準ＲＦＩＤ読取器（図２ｂに図示せず。）と通信することができないような値を有する。しかし、ＲＦＩＤ装置２３１ｂの第２の動作状態の動作周波数は、ＲＦＩＤ装置２３１ｂと図示されていない読出用ＲＦＩＤ装置との間の無線通信が可能であるように選択される。
【００７４】
第２の動作状態の動作周波数及び／又はＲＦ送信電力は、近距離通信のみが可能であるように選択され得ることが言及されるべきである。従って、切断されているＲＦＩＤ装置２３１ｂから読出用ＲＦＩＤ装置へのデータ取り出しを可能にするために、読出用ＲＦＩＤ装置は、切断されているＲＦＩＤ装置２３１ｂの通信インターフェース２４５の直ぐ近くに配置されるべきである。読出用ＲＦＩＤ装置の配置に関するこのような近距離状態は、認められていない者に対する通信バリアを提供することを比較的簡単にする。従って、切断されているＲＦＩＤタグを有するユーザ持ち運びのアイテムのプライバシーは、簡単であるが有効な方法で保たれ得る。
【００７５】
図２ｃは、本発明の第３実施形態に従うＲＦＩＤ装置２３１ｃを示す。ＲＦＩＤ装置２３１ｃは、ＲＦＩＤチップ２３５及びＲＦ通信インターフェース２４５を有する。ＲＦＩＤチップ２３５は、図２ｂに示されている第２実施形態に従うＲＦＩＤチップと同じである。通信インターフェース２４５は、制御コマンド２５０ａによる全部で４つのスイッチング素子２５１、２５２、２５３及び２５４の同時作動によって第１の動作状態から第２の動作状態へと切り換えられ得る。それによって、制御コマンド２５０ａは、アンテナ素子２４６がコンデンサ２４７と共にＲＦＩＤ装置２３１ｃのＲＦＩＤチップ２３５から完全に切り離されるように、スイッチング素子２５１及び２５２を開く。同時に、制御コマンド２５０ａは、コンデンサ２５８がＲＦＩＤチップ２３５へ接続されるようにスイッチング素子２５３及び２５４を選択する。これは、第２の動作状態でＲＦＩＤ装置２３１ｃと図示されていない読出用ＲＦＩＤ装置との間の通信が、第１の動作状態での誘導結合と対照的に、コンデンサ２５８を介する無線容量結合によってのみ可能であることを意味する。
【００７６】
容量結合にとって通常、空間的な補償範囲は誘導結合に比べてずっと小さいので、容量結合を介してのみ可能であるデータ取り出しは、自動的に、改善されたプライバシーに寄与する。これは、読出用ＲＦＩＤ装置がＲＦＩＤ装置２３１ｃに近接して配置される必要があることから有効である。ＲＦＩＤ装置２３１ｃは、変形されている切断コマンド２５０ａによって第２の動作状態に移っている。
【００７７】
図３は、ＲＦＩＤ装置３３１と読出用ＲＦＩＤ装置３７０との間の通信を復活させるために、切断されているＲＦＩＤ装置３３１での読出用ＲＦＩＤ装置３７０の取付を示す。ＲＦＩＤ装置３３１は、図２ａに示されるＲＦＩＤ２３１ａと同様の方法で形成されている。従って、ＲＦＩＤ装置３３１は、主要通信インターフェース３４５及び補助通信インターフェース３４０を有する。主要通信インターフェース３４５はアンテナ素子３４６を有する。アンテナ素子３４６は、ＲＦＩＤ装置３３１の第１の動作状態で、ＲＦＩＤ装置３３１と標準ＲＦＩＤ読取器との間の通信のために使用される。アンテナ素子３４６は、スイッチング素子３５１を作動させることによって、ＲＦＩＤ装置３３１のＲＦＩＤチップから不可逆に切り離され得る。
【００７８】
主要通信インターフェース３４５を無効にした後に、ＲＦＩＤ装置３３１は第２の動作状態にある。ＲＦＩＤ装置３３１と標準ＲＦＩＤ読取器との間の通信はもはや可能でない。しかし、上述されたように、ＲＦＩＤ装置３３１と専用の読出用ＲＦＩＤ装置３７０との間の通信は、補助通信インターフェース３４０を利用することによって可能である。補助通信インターフェース３４０は、２つの外部ガルバニック接触、すなわち、第１のガルバニック接触３４１及び第２のガルバニック接触３４２を有する。補助通信インターフェース３４０は、読出用ＲＦＩＤ装置３７０の専用通信インターフェース３８０へ接続されるよう構成される。専用通信インターフェース３８０は、２つのガルバニック接触、すなわち、第１のガルバニック接触３８１及び第２のガルバニック接触３８２を有する。これらのガルバニック接触３８１及び３８２の間隔及び形状は、夫々、ガルバニック接触３４１及び３４２の間隔及び形状に対応する。
【００７９】
ＲＦＩＤ装置３３１に対して読出用ＲＦＩＤ装置３７０をどこに位置付けるべきかをユーザに示すために、ＲＦＩＤ装置３３１はインジケータ３６１を設けられている。インジケータ３６１は、ＲＦＩＤ装置３３１へ接触されるべき読出用ＲＦＩＤ装置３７０の位置及び方向の両方をユーザに明示するのに適した様々な形状及び形態を取ることができる。
【００８０】
読出用ＲＦＩＤ装置３７０から特別の読出装置（図示せず。）への更なるデータ送信を可能にするために、読出用ＲＦＩＤ装置３７０は、アンテナ素子３８６を有する通信インターフェースを設けられている。読出用ＲＦＩＤ装置３７０の計算能力に依存して、読出用ＲＦＩＤ装置３７０と特別の読出装置との間のデータ接続は、符号化及び暗号化のための既知のプロシージャを用いることによって確立され得る。従って、データ取り出しのプライバシーは、切断されているＲＦＩＤ装置３３１と読出用ＲＦＩＤ装置３７０との間のガルバニック接続のために、切断されているＲＦＩＤ装置３３１に記憶されているデータが読出用ＲＦＩＤ装置３７０へ送信されるところの最初のステップでのみ保たれない。データ取り出しのプライバシーは、また、データが特別の読出装置へ送信されるところの第２のステップでは保たれる。
【００８１】
ＲＦＩＤ装置又はＲＦＩＤタグの記載される拡張された機能は、例えば、家庭用電気製品がＲＦＩＤ読取器を装備されることが考えられる未来の家庭で応用を有する。このようにして、自身のプライバシーについて心配しており且つ自身が持ち運んでいる物によって追跡されたくないユーザは、自身が購入するつもりである製品に埋め込まれているＲＦＩＤタグが無効にされることを売却完了時に要求する。従って、ＲＦＩＤタグに記憶されている情報は、標準のＲＦＩＤ読取器を用いて認められていない者によって取り出され得ない。ユーザは、自身の家に到着すると、切断されたＲＦＩＤ装置の機能を原則的に復活させる物に、付随する読出用ＲＦＩＤタグを置く。同時に、ユーザは、付随する読出用ＲＦＩＤタグが、場合によっては安全な暗号化プロトコルを用いて、プライバシー保全方式でＲＦＩＤ読取器と相互作用するよう設計されているので、情報が漏れないことを確信する。かかる暗号化プロトコルは、元のＲＦＩＤタグによっては利用可能又は可能でない。元のＲＦＩＤタグは、費用の関係上受動的なタグである。
【００８２】
留意すべきは、語「有する（comprising）」は他の要素又はステップを除外せず、「１つの（a,an）」は複数個を除外しない点である。また、異なる実施形態に関連して記載される要素は組み合わされ得る。また、留意すべきは、特許請求の範囲における参照符号は特許請求の範囲の適用範囲を限定するよう解釈されるべきではない点である。
【符号の説明】
【００８３】
１００    ＲＦＩＤシステム
１１０    ＲＦＩＤ読取器
１１５    電子回路
１１６    振幅偏移キーイング変調器／ＡＳＫ変調器
１１６ａ  駆動信号
１２０    発振回路
１２１    信号入力ユニット
１２２    抵抗
１２３    コンデンサ
１２４    アンテナ
１２５    帯域通過フィルタ
１２６    増幅器
１２７    復調器
１２９    出力データ
１３０    標準ＲＦＩＤ装置／標準ＲＦＩＤタグ
１３５    ＲＦＩＤチップ
１３６    ＲＦＩＤ回路、データメモリ
１３６ａ  バイナリ変調コード
１３７    トランジスタ結合素子
１３８    ダイオード
１３９    コンデンサ
１４５    通信インターフェース
１４６    アンテナ素子
１４７    コンデンサ
２３１ａ  ＲＦＩＤ装置／ＲＦＩＤタグ
２３１ｂ  ＲＦＩＤ装置／ＲＦＩＤタグ
２３１ｃ  ＲＦＩＤ装置／ＲＦＩＤタグ
２３５    ＲＦＩＤチップ
２３６    ＲＦＩＤ回路、データメモリ
２３７    トランジスタ結合素子
２３８    ダイオード
２３９    コンデンサ
２４０    更なる通信インターフェース
２４１    外部ガルバニック接触
２４２    外部ガルバニック接触
２４５    通信インターフェース
２４６    アンテナ素子
２４７    コンデンサ
２５０    コマンドライン
２５０ａ  制御コマンド／切断コマンド
２５１    スイッチング素子
２５２    スイッチング素子
２５３    スイッチング素子
２５４    スイッチング素子
２５６    コンデンサ
２５８    コンデンサ
３３１    ＲＦＩＤ装置／ＲＦＩＤタグ
３４０    補助通信インターフェース
３４１    外部ガルバニック接触
３４２    外部ガルバニック接触
３４５    主要通信インターフェース
３４６    アンテナ素子
３５１    スイッチング素子
３６１    インジケータ
３７０    読出用ＲＦＩＤ装置／読出用ＲＦＩＤタグ
３８０    更なる通信インターフェース
３８１    外部ガルバニック接触
３８２    外部ガルバニック接触
３８５    通信インターフェース
３８６    アンテナ素子
【図１】
2010504580.tif 000003
【図２ａ】
2010504580.tif 000004
【図２ｂ】
2010504580.tif 000005
【図２ｃ】
2010504580.tif 000006
【図３】
2010504580.tif 000007
【国際調査報告】
2010504580.tif 000008
2010504580.tif 000009